【手続補正書】
【提出日】平成16年1月7日(2004.1.7)
【手続補正１】
【補正対象書類名】明細書
【補正対象項目名】全文
【補正方法】変更
【補正の内容】
【発明の名称】内圧監視装置
【特許請求の範囲】
【請求項１】対象物が収納される容器と、
この容器を大気圧より所定圧負圧にするあるいは所定圧加圧する負圧加圧手段と、
前記容器内の圧力を測定する絶対圧力測定装置と、
この絶対圧力測定装置の測定圧の変化量を検出してアラーム信号を発する変化量検出手段と
を具備したことを特徴とする内圧監視装置。
【請求項２】前記容器内の圧力が所定圧に達した時あるいは所定の偏差量に達した時にアラーム信号を発する所定圧検出手段
を具備した事を特徴とする請求項1記載の内圧監視装置。
【請求項３】負圧加圧手段として、換気扇が使用されたこと
を特徴とする請求項1又は請求項２記載の内圧監視装置。
【請求項４】負圧加圧手段として、高圧ボンベの出力圧力が使用されたこと
を特徴とする請求項1又は請求項２記載の内圧監視装置。
【請求項５】前記アラーム信号に基づきブザー音を発するブザーあるいは警報音声を発する警報音声器
を具備した事を特徴とする請求項１乃至請求項４の何れかに記載の内圧監視装置。
【請求項６】前記アラーム信号に基づき撮影を開始するビデオ
を具備した事を特徴とする請求項１乃至請求項５の何れかに記載の内圧監視装置。
【請求項７】前記アラーム信号に基づき所定の電話にダイアルアップするダイアルアップ装置
を具備した事を特徴とする請求項１乃至請求項６の何れかに記載の内圧監視装置。
【請求項８】前記負圧加圧手段、前記絶対圧力測定装置と前記変化量検出手段の何れかの少なくとも１個の電源がオフになった場合に、電源をバックアップする電源バックアップ装置
を具備した事を特徴とする請求項１乃至請求項７の何れかに記載の内圧監視装置。
【請求項９】前記電源バックアップ装置による電源バックアップの切換えを検出する電源バックアップ切換検出器と、
この電源バックアップ切換検出器からの信号に基づき所定の電話にダイアルアップするダイアルアップ装置と
を具備したことを特徴とする請求項８記載の内圧監視装置。
【請求項１０】前記負圧加圧手段、前記絶対圧力測定装置と前記変化量検出手段の故障を診断する自己診断装置
を具備した事を特徴とする請求項１乃至請求項９の何れかに記載の内圧監視装置。
【請求項１１】前記容器と前記負圧加圧手段と前記絶対絶対圧力測定装置とからなるセンサユニットの少なくとも２センサユニット以上が1個の前記変化量検出手段に接続されたこと
を特徴とする請求項１乃至請求項１０の何れかに記載の内圧監視装置。
【請求項１２】前記変化量検出手段がパソコンを介してアラーム信号を発するようにされたこと
を特徴とする請求項１乃至請求項１１の何れかに記載の内圧監視装置。
【発明の詳細な説明】
【０００１】
【発明の属する技術分野】
本発明は、安価で、信頼性、精度が高い内圧監視装置に関するものである。
【０００２】
【従来の技術】
図１１は、従来より一般に使用されている従来例の構成説明図で、防犯装置に使用された例である。
図において、１は、容器で、例えば、一般家庭の部屋である。
３は部屋1の窓や扉２に設けられた接触方式の防犯装置である。
【０００３】
基本的には、マグネットスイッチを利用した防犯防止センサーである。
窓や扉２に取り付けられて、マグネット部がスイッチ部に近づいた時又は、スイッチ部から離れた時に端子間が導通しブザーもしくは接点出力信号を発する。
【０００４】
【発明が解決しようとする課題】
しかしながら、このような接触方式の防犯装置３においては、ガラスや扉２を破って侵入された場合には動作しない。
出入口が多い場合、センサーを何個も取付けなくてはならない。
【０００５】
また、万全な防犯を考えた場合、何種類もの他のセンサーを複合して取付けないと効果が上がらない。
従って、コストが膨らむのと、取付け作業・調整が大変面倒である。
【０００６】
本発明の目的は、上記の課題を解決するもので、安価で、信頼性、精度が高い内圧監視装置を提供することにある。
【０００７】
【課題を解決するための手段】
このような目的を達成するために、本発明では、請求項１の内圧監視装置においては、
対象物が収納される容器と、この容器を大気圧より所定圧負圧にするあるいは所定圧加圧する負圧加圧手段と、前記容器内の圧力を測定する絶対圧力測定装置と、この絶対圧力測定装置の測定圧の変化量を検出してアラーム信号を発する変化量検出手段とを具備したことを特徴とする。
【０００８】
本発明の請求項２においては、請求項1記載の内圧監視装置において、
前記容器内の圧力が所定圧に達した時あるいは所定の偏差量に達した時にアラーム信号を発する所定圧検出手段を具備した事を特徴とする。
【０００９】
本発明の請求項３においては、請求項1又は請求項２記載の内圧監視装置において、
負圧加圧手段として、換気扇が使用されたことを特徴とする。
【００１０】
本発明の請求項４においては、請求項1又は請求項２記載の内圧監視装置において、
負圧加圧手段として、高圧ボンベの出力圧力が使用されたことを特徴とする。
【００１１】
本発明の請求項５においては、請求項1乃至請求項４の何れかに記載の内圧監視装置において、
前記アラーム信号に基づきブザー音を発するブザーあるいは警報音声を発する警報音声器を具備したことを特徴とする。
【００１２】
本発明の請求項６においては、請求項1乃至請求項５の何れかに記載の内圧監視装置において、
前記アラーム信号に基づき撮影を開始するビデオを具備したことを特徴とする。
【００１３】
本発明の請求項７においては、請求項1乃至請求項６の何れかに記載の内圧監視装置において、
前記アラーム信号に基づき所定の電話にダイアルアップするダイアルアップ装置を具備したことを特徴とする。
【００１４】
本発明の請求項８においては、請求項1乃至請求項７の何れかに記載の内圧監視装置において、
前記負圧加圧手段、前記絶対圧力測定装置と前記変化量検出手段の何れかの少なくとも１個の電源がオフになった場合に、電源をバックアップする電源バックアップ装置を具備したことを特徴とする。
【００１５】
本発明の請求項９においては、請求項1記載の内圧監視装置において、
前記電源バックアップ装置による電源バックアップの切換えを検出する電源バックアップ切換検出器と、この電源バックアップ切換検出器からの信号に基づき所定の電話にダイアルアップするダイアルアップ装置とを具備したことを特徴とする。
【００１６】
本発明の請求項１０においては、請求項1乃至請求項９の何れかに記載の内圧監視装置において、
前記負圧加圧手段、前記絶対圧力測定装置と前記変化量検出手段の故障を診断する自己診断装置を具備したことを特徴とする。
【００１７】
本発明の請求項１１においては、請求項1乃至請求項１０の何れかに記載の内圧監視装置において、
前記容器と前記負圧加圧手段と前記絶対圧力測定装置とからなるセンサユニットの少なくとも２センサユニット以上が1個の前記変化量検出手段に接続されたことを特徴とする。
【００１８】
本発明の請求項１２においては、請求項1乃至請求項１１の何れかに記載の内圧監視装置において、
前記変化量検出手段がパソコンを介してアラーム信号を発するようにされたことを特徴とする。
【００１９】
【発明の実施の形態】
以下図面を用いて本発明を詳しく説明する。
図１は本発明の一実施例の要部構成説明図、図２は図１のブロック図である。
図において、図１１と同一記号の構成は同一機能を表す。
以下、図１１と相違部分のみ説明する。
【００２０】
図において、１１は、対象物が収納される容器である。
容器１１としては、たとえば、一般家屋，マンション，会社，倉庫，美術館，軍事施設，船，飛行機等の部屋や商品ケース等が該当する。
【００２１】
１２は、この容器１１を大気圧より所定圧負圧にする負圧加圧手段である。
負圧加圧手段１２としては、たとえば、換気扇やモーターファン等が該当する。  １３は、容器１１内の圧力を測定する絶対圧力測定装置である。
【００２２】
絶対圧力測定装置１３は、絶対圧力を測定する。ゲージ圧力を測定するゲージ圧力測定装置は、例えば、台風等の気圧の変化の影響を受けるが、絶対圧力測定装置はそのようなことが無く、精度が高い測定が出来るからである。
【００２３】
１４は、絶対圧力測定装置１３の測定圧の変化量を検出してアラーム信号Ａを発する変化量検出手段である。
この場合は、変化量検出手段１４のアラーム信号Ａに基づき、ブザー，警報音声器，カメラや照明装置が動作される。
【００２４】
以上の構成において、容器１１、たとえば、一般家屋の室内を、負圧加圧手段１２の、たとえば、換気扇などで負圧にする。
この場合は、マイナス１００ｍｍＨ2Ｏにする。
【００２５】
侵入者が窓を割って入って来た場合、室１１内は瞬時に大気圧になる。
絶対圧力測定装置１３は、室１１内の圧力の変動を測定する。
絶対圧力測定装置１３の測定結果は、変化量検出手段１４に設定された偏差警報に引っ掛かり、変化量検出手段１４よりアラーム信号Ａが発せられる。
【００２６】
この場合は、変化量検出手段１４のアラーム信号Ａに基づき、ブザー，カメラや照明装置が動作される。
【００２７】
この結果、
（１）容器１１のどこからの（窓，ドアー等）破損・侵入に対しても、必ず変化量検出手段１４により検出され、信頼性が高く、大気圧の圧力変動の影響を受けず精度が高い内圧監視装置が得られる。
【００２８】
（２）内圧監視装置は、圧力の変動を検知すれば良いので、１個で良いので、安価で、メンテナンスコストを低減出来る内圧監視装置が得られる。
【００２９】
（３）負圧加圧手段１２として、換気扇が使用されれば、換気扇は市場性が有り、容易に入手出来、安価な内圧監視装置が得られる。
【００３０】
（４）アラーム信号Ａに基づき、ブザー音を発するブザーあるいは警報音声を発する警報音声器が設けられれば、容器１１を視認する必要はなく、また容器１１の近くにいる必要もなく、直ちに対処しやすく、迅速性を有する内圧監視装置が得られる。
【００３１】
（５）アラーム信号Aに基づき,撮影を開始するビデオが設けられれば、容器１１の破損時の状態を直ちに確認出来、迅速性、証拠保存性を有する内圧監視装置が得られる。
【００３２】
（６）盗まれた鍵やコピーされた鍵で侵入しても、本内圧監視装置は動作するので、安心感が高く、信頼性が益々高い内圧監視装置が得られる。
【００３３】
図３は本発明の他の実施例の要部構成説明図である。
本実施例において、１５は、容器１１を、この場合は、大気圧より所定圧プラス圧に加圧する負圧加圧手段である。
負圧加圧手段１５としては、たとえば、ボンベ等が該当する。
自動車等の室内に使用出来、簡便性の高い内圧監視装置が得られる。
なお、負圧加圧手段１５として、自動車等のモーターを利用しても良いことは勿論である。
【００３４】
図４は本発明の他の実施例の要部構成説明図である。
本実施例において、２１は、容器１１内の圧力が所定圧に達した時あるいは所定の偏差量に達した時にアラーム信号Ａを発する所定圧検出手段である。
【００３５】
容器１１内の圧力が、所定圧に達した時あるいは所定の偏差量に達した時にアラーム信号Ａを発する所定圧検出手段２１が設けられたので、容器１１の破損個所が小さくて徐々に気圧が抜けて行き、偏差警報に引っ掛からなくても、絶対値、例えば、大気圧になった時に、アラーム信号Ａが発せられ、更に、信頼性が高い内圧監視装置が得られる。
【００３６】
図５は本発明の他の実施例の要部構成説明図である。
本実施例において、２５は、アラーム信号Ａに基づき所定の電話Ｂにダイアルアップするダイアルアップ装置である。
【００３７】
この結果、
（１）容器１１の近くにいる必要はなく、行動の自由性が確保できる内圧監視装置が得られる。
（２）外出後に内圧監視装置の設定を忘れても、外出先から装置の設定が容易に出来る内圧監視装置が得られる。
【００３８】
（３）電話Ｂとして、携帯電話が使用されれば、更に、利便性が向上された内圧監視装置が得られる。
【００３９】
図６は本発明の他の実施例の要部構成説明図である。
本実施例において、３１は、負圧加圧手段１２、絶対圧力測定装置１３と変化量検出手段１４の何れかの少なくとも１個の電源がオフになった場合に、電源をバックアップする電源バックアップ装置である。
【００４０】
負圧加圧手段１２、絶対圧力測定装置１３と変化量検出手段１４の電源をバックアップする電源バックアップ装置３１が設けられたので、電源がオフになった場合にも対処出来、更に、信頼性が高い内圧監視装置が得られる。
【００４１】
この結果、
（１）侵入者が警報装置の電源を切って、入り込もうとしても電源バックアップ装置３１が動作するので、より信頼性が高い内圧監視装置が得られる。
（２）負圧加圧手段１２、絶対圧力測定装置１３や変化量検出手段１４の電源部が故障になっても自動的に電源バックアップ装置３１に切替るので、より信頼性が高い内圧監視装置が得られる。
【００４２】
図７は本発明の他の実施例の要部構成説明図である。
本実施例において、３５は、電源バックアップ装置３１による電源バックアップの切換えを検出する電源バックアップ切換検出器である。
３６は、電源バックアップ切換検出器３５からの信号に基づき、所定の電話Ｂにダイアルアップするダイアルアップ装置である。
【００４３】
負圧加圧手段１２、絶対圧力測定装置１３と変化量検出手段１４の何れかの少なくとも１個の電源がオフになった場合に、電源バックアップ装置３１による電源バックアップの切換えを検出する電源バックアップ切換検出器３５と、電源バックアップ切換検出器３５からの信号に基づき所定の電話Ｂにダイアルアップするダイアルアップ装置とが設けられた。
【００４４】
この結果、停電や人為的に電源を切った場合に、侵入者による電源の切断とは区別がつかない為、アラームＡは発せられずに、ひとまずは、電話Ｂで異常（軽故障）として通知され、停電や侵入者でないものが電源を切った場合に、大騒ぎに成ること無く対処出来、より信頼性が高い内圧監視装置が得られる。
【００４５】
図８は本発明の他の実施例の要部構成説明図である。
本実施例において、４１は、負圧加圧手段１２、絶対圧力測定装置１３と変化量検出手段１４の故障を診断する自己診断装置である。
負圧手段１２、絶対圧力測定装置１３、変化量検出手段１４の機器の故障が発生した場合、侵入者警報とは異なる故障アラームＣを発する。
【００４６】
この結果、負圧加圧手段１２、絶対圧力測定装置１３と変化量検出手段１４の故障を診断する自己診断装置４１が設けられたので、負圧加圧手段１２、絶対圧力測定装置１３と変化量検出手段１４の故障に迅速に対処できる内圧監視装置が得られる。
【００４７】
図９は本発明の他の実施例の要部構成説明図である。
本実施例において、容器１１と負圧加圧手段１２と絶対圧力測定装置１３とからなるセンサユニット４５の少なくとも２個のセンサユニット４５以上が1個の変化量検出手段１４に接続されている。
【００４８】
この結果、
（１）1個の変化量検出手段１４に複数台のセンサユニット４５を繋げて監視する事が出来るので、安価な内圧監視装置が得られる。
（２）重要な個所には、何箇所もセンサユニット４５が設置出来るので、更なる信頼性が向上する内圧監視装置が得られる。
【００４９】
例えば、マンションの各家庭１１にセンサユニット４５を設置して、管理室で、変化量検出手段１４を監視したり、デパート等での多数の商品ケース１１にセンサユニット４５を入れて、警備室で変化量検出手段１４を監視する事が可能になる。
【００５０】
図１０は本発明の他の実施例の要部構成説明図である。
本実施例において、変化量検出手段１４がパソコン５１を介してアラーム信号Aを発するようにされている。
【００５１】
変化量検出手段１４がパソコン５１を介してアラーム信号Ａを発するようにされたので、
（１）手近に有るパソコン５１で監視出来るので、監視が容易となる内圧監視装置が得られる。
【００５２】
（２）パソコン５１の処理システムを利用することにより、アラームＡ（ブザー、ビデオ、警報音声器等）の監視操作が容易となる内圧監視装置が得られる。
【００５３】
（３）上記のセンサユニット４５を多数使用したマルチタイプでは、容器１１、例えば、部屋１１の監視数全体が、一画面で一度に見る事が出来、素早い対応が取れる内圧監視装置が得られる。
【００５４】
例えば、マンションにおける各部屋１１の警備会社による監視が、パソコン５１の１台で監視が出来る内圧監視装置が得られる。
（４）パソコン管理で事故発生の時間や、入出門の管理が行える。
【００５５】
なお、以上の説明は、本発明の説明および例示を目的として、特定の好適な実施例を示したに過ぎない。したがって本発明は、上記実施例に限定されることなく、その本質から逸脱しない範囲で更に多くの変更、変形をも含むものである。
【００５６】
【発明の効果】
以上説明したように、本発明の請求項１によれば、次のような効果がある。
対象物が収納される容器と、この容器を大気圧より所定圧負圧にするあるいは所定圧加圧する負圧加圧手段と、前記容器内の圧力を測定する絶対圧力測定装置と、この絶対圧力測定装置の測定圧の変化量を検出してアラーム信号Ａを発する変化量検出手段とが設けられた。
【００５７】
従って、
（１）容器のどこからの（窓，ドアー等）破損・侵入に対しても、必ず変化量検出手段により検出され、信頼性が高く、大気圧の圧力変動の影響を受けず精度が高い内圧監視装置が得られる。
（２）内圧監視装置は、圧力の変動を検知すれば良いので、１個で良いので、安価で、メンテナンスコストを低減出来る内圧監視装置が得られる。
【００５８】
（３）盗まれた鍵やコピーされた鍵で侵入しても、本内圧監視装置は動作するので、安心感が高く、信頼性が益々高い内圧監視装置が得られる。
【００５９】
本発明の請求項２によれば、次のような効果がある。
容器内の圧力が所定圧に達した時あるいは所定の偏差量に達した時にアラーム信号を発する所定圧検出手段が設けられたので、容器の破損個所が小さくて徐々に気圧が抜けて行き、偏差警報に引っ掛からなくても、絶対値、例えば、大気圧になった時に、アラーム信号が発せられ、更に、信頼性が高い内圧監視装置が得られる。
【００６０】
本発明の請求項３によれば、次のような効果がある。
負圧加圧手段として、換気扇が使用されたので、換気扇は市場性が有り、容易に入手出来、安価な内圧監視装置が得られる。
【００６１】
本発明の請求項４によれば、次のような効果がある。
負圧加圧手段として、高圧ボンベの出力圧力が使用されたので、自動車等の室内に使用でき、簡便性の高い内圧監視装置が得られる。
【００６２】
本発明の請求項５によれば、次のような効果がある。
アラーム信号に基づきブザー音を発するブザーあるいは警報音声を発する警報音声器が設けられたので、容器を視認する必要はなく、また容器の近くにいる必要もなく、直ちに対処しやすく、迅速性を有する内圧監視装置が得られる。
【００６３】
本発明の請求項６によれば、次のような効果がある。
前記アラーム信号に基づき撮影を開始するビデオが設けられたので、容器の破損時の状態を直ちに確認出来、迅速性、証拠保存性を有する内圧監視装置が得られる。
【００６４】
本発明の請求項７によれば、次のような効果がある。
アラーム信号に基づき所定の電話にダイアルアップするダイアルアップ装置が設けられた。
【００６５】
従って、
（１）容器の近くにいる必要はなく、行動の自由性が確保できる内圧監視装置が得られる。
（２）外出後に内圧監視装置の設定を忘れても、外出先から装置の設定が容易に出来る。
【００６６】
本発明の請求項８によれば、次のような効果がある。
前記負圧加圧手段、絶対圧力測定装置と変化量検出手段の電源をバックアップする電源バックアップ装置が設けられたので、電源がオフになった場合にも、対処出来、更に、信頼性が高い内圧監視装置が得られる。
【００６７】
従って、
（１）侵入者が警報装置の電源を切って、入り込もうとしても電源バックアップが動作するので、より信頼性が高い内圧監視装置が得られる。
（２）負圧加圧手段、絶対圧力測定装置や変化量検出手段の電源部が故障になっても自動的に電源バックアップに切替るので、より信頼性が高い内圧監視装置が得られる。
【００６８】
本発明の請求項９によれば、次のような効果がある。
負圧加圧手段、絶対圧力測定装置と変化量検出手段の何れかの少なくとも１個の電源がオフになった場合に、電源バックアップ装置による電源バックアップの切換えを検出する電源バックアップ切換検出器と、電源バックアップ切換検出器からの信号に基づき所定の電話にダイアルアップするダイアルアップ装置とが設けられた。
【００６９】
従って、停電や人為的に電源を切った場合に、侵入者による電源の切断とは区別がつかない為、アラームは発せられずに、ひとまずは、携帯電話で異常（軽故障）として通知され、停電や侵入者でないものが電源を切った場合に、大騒ぎに成ること無く対処出来、より信頼性が高い内圧監視装置が得られる。
【００７０】
本発明の請求項１０によれば、次のような効果がある。
負圧加圧手段、絶対圧力測定装置と変化量検出手段の故障を診断する自己診断装置が設けられたので、負圧加圧手段、絶対絶対圧力測定装置と変化量検出手段の故障に迅速に対処できる内圧監視装置が得られる。
【００７１】
本発明の請求項１１によれば、次のような効果がある。
容器と負圧加圧手段と絶対絶対圧力測定装置とからなるセンサユニットの少なくとも２センサユニット以上が1個の前記変化量検出手段に接続された。
従って、
【００７２】
（１）1個の前記変化量検出手段に複数台のセンサユニットを繋げて監視する事が出来るので、安価な内圧監視装置が得られる。
（２）重要な個所には、何箇所もセンサユニットが設置出来るので、更なる信頼性が上がる内圧監視装置が得られる。
【００７３】
例えば、マンションの各家庭にセンサユニットを設置して、管理室で監視したり、デパート等での多数の商品ケースにセンサユニットを入れて、警備室で監視する事が可能になる。
【００７４】
本発明の請求項１２によれば、次のような効果がある。
変化量検出手段がパソコンを介してアラーム信号を発するようにされたので、（１）手近に有るパソコンで監視出来るので、監視が容易となる内圧監視装置が得られる。
【００７５】
（２）パソコンの処理システムを利用することにより、アラーム（ブザー、ビデオ、警報音声器等）の監視操作が容易となる内圧監視装置が得られる。
（３）マルチタイプでは、容器、例えば、部屋の監視数全体が、一画面で一度に見る事が出来、素早い対応が取れる内圧監視装置が得られる。
例えば、マンションにおける警備会社の監視が、パソコン１台で監視が出来る内圧監視装置が得られる。
（４）パソコン管理で事故発生の時間や、入出門の管理が行える。
【００７６】
従って、本発明によれば、信頼性、精度が高い内圧監視装置を実現することが出来る。
【図面の簡単な説明】
【図１】本発明の一実施例の要部構成説明図である。
【図２】図１のブロック図である。
【図３】本発明の他の実施例の要部構成説明図である。
【図４】本発明の他の実施例の要部構成説明図である。
【図５】本発明の他の実施例の要部構成説明図である。
【図６】本発明の他の実施例の要部構成説明図である。
【図７】本発明の他の実施例の要部構成説明図である。
【図８】本発明の他の実施例の要部構成説明図である。
【図９】本発明の他の実施例の要部構成説明図である。
【図１０】本発明の他の実施例の要部構成説明図である。
【図１１】従来より一般に使用されている従来例の要部構成説明図である。
【符号の説明】
１１    容器
１２    負圧加圧手段
１３    絶対圧力測定装置
１４    変化量検出手段
１５    負圧加圧手段
２１    所定圧検出手段
２５    ダイアルアップ装置
３１    電源バックアップ装置
３５    電源バックアップ切換検出器
３６    ダイアルアップ装置
４１    自己診断装置
４５    センサユニット
５１    パソコン
Ａ      アラーム信号
Ｂ      電話
Ｃ      故障アラーム信号